(57)【要約】【課題】  花を模した装飾体を作成する際に、実際の花びらに近似した立体感のある花びら部を簡単な加工で形成すること。【解決手段】  装飾品１０に付される花を模した装飾体１３は、花びらに相当する花びら部１５と、当該花びら部１５を支持する台板１６とを備えている。この花びら部１５は、中身が抜かれた鶏卵の卵殻の所定部分を切り抜いて形成され、当該卵殻の内面側が表向きとなるように、それぞれ台板上１６に放射状に並べられて接着されている。花びら部１５は、卵殻の内面側となっていた面に付着していた薄皮が剥離され、当該面に、エポキシ系の接着剤からなる強化剤が塗布されている。【選択図】          図１
2009035847.tif 000002
【特許請求の範囲】
【請求項１】
花を模した装飾体において、
花びらに相当する花びら部を備え、当該花びら部は、卵殻の一部分を切り抜いて形成されていることを特徴とする装飾体。
【請求項２】
前記花びら部は、前記卵殻の内面側が表向きとなるように配置されていることを特徴とする請求項１又は２記載の装飾体。
【請求項３】
花を模した装飾体の製造方法において、
卵殻に穴をあけて卵の中身を抜き取り、前記卵殻の表面側から当該卵殻を花びらの形状に切り抜いて、花びら部を形成し、当該花びら部に対し、前記卵殻の内面側に存在する薄皮を剥離した後、補強剤及び塗料を塗布し、前記卵殻の内面側が表向きになるように、前記花びら部を所定位置に並べて前記装飾体を形成することを特徴とする装飾体の製造方法。
【発明の詳細な説明】
【技術分野】
【０００１】
本発明は、各種装飾品に付される花を模した装飾体に係り、更に詳しくは、花びらに相当する部分を卵殻で形成した装飾体に関する。
【背景技術】
【０００２】
アクセサリーや置物等の装飾品に付される装飾体として、花や花びらを模したものがあり、このような装飾体は、金属や樹脂等を加工することで形成され、或いは、生花を保存処理することで形成される。中でも、ペンダント、ピアス、ブローチ、髪飾り等の装身具に付される装飾体にあっては、耐久性向上やデザインの自由度等の種々の観点から、金属や樹脂等を加工したものがより多く使われる。そこで、花びらを模した部分を金属や樹脂等の材料で形成する場合、実際の花びらの繊細さや柔軟さ等の立体感を表現しようとすると、材料を緩やかなカーブで湾曲させなければならない。このため、花びらに相当する部分の加工として、繊細な曲げ加工や鋳造等（例えば、特許文献１参照）が必要になり、実際の花びらに近い曲面形状を得るのに多大な手間がかかることになる。
【０００３】
そこで、本発明者は、鋭意研究の結果、鳥類の卵殻の一部を切り抜くと、当該切り抜き部分が、実際の花びらの柔らかい曲面形状に近似していることを見出した。
【０００４】
ところで、卵殻を用いた装飾品としては、卵殻のほぼ全ての形状を維持し、卵殻の内部に万華鏡を挿入してなる装飾品が提案されている他（特許文献２参照）、卵殻を縦方向に二分割し、当該分割体を布や紙等で補強した半卵型のブローチが提案されている（特許文献３参照）。
【特許文献１】特開２００６−７７３７３号公報
【特許文献２】特開２００７−１７６９７号公報
【特許文献３】実公平６−２２２５３号公報
【発明の開示】
【発明が解決しようとする課題】
【０００５】
前記特許文献２、３の装飾品は、卵殻を用いているが、花を模した装飾体を作成する目的で卵殻を用いるものではなく、卵殻の一部分をそのまま使って、花びらに相当する部分を実際の花びらの形状に近似した曲面形状にするという思想はない。
【０００６】
本発明は、本発明者の知見に基づき案出されたものであり、その目的は、花を模した装飾体を作成する際に、実際の花びらに近似した立体感のある花びら部を簡単な加工で形成することができる装飾体及びその製造方法を提供することにある。
【課題を解決するための手段】
【０００７】
（１）前記目的を達成するため、本発明は、花を模した装飾体において、
花びらに相当する花びら部を備え、当該花びら部は、卵殻の一部分を切り抜いて形成される、という構成を採っている。
【０００８】
（２）ここで、前記花びら部は、前記卵殻の内面側が表向きとなるように配置される、という構成を採ることが好ましい。
【０００９】
（３）また、本発明は、花を模した装飾体の製造方法において、卵殻に穴をあけて卵の中身を抜き取り、前記卵殻の表面側から当該卵殻を花びらの形状に切り抜いて、花びら部を形成し、当該花びら部に対し、前記卵殻の内面側に存在する薄皮を剥離した後、補強剤及び塗料を塗布し、前記卵殻の内面側が表向きになるように、前記花びら部を所定位置に並べて前記装飾体を形成する、という手法を採用している。
【００１０】
なお、本明細書において、「装飾品」は、置物、容器、写真立て等のインテリア物品の他に、ネックレス、ペンダント、イヤリング、ブローチ、髪飾り等の装身具をも含む装飾用物品の総称として用いる。
【発明の効果】
【００１１】
本発明によれば、柔らかな卵殻の曲面をそのまま利用するため、花びら部を作成する際に、繊細な曲げ加工や鋳造等の加工作業が不要になり、実際の花びらに近い曲面を有する花びら部を簡単に形成することができる。ここで、自然界に存在する卵殻の形状は、一個一個形状や大きさが異なり、また、一個の卵殻の中でも部分毎に曲率が異なる。従って、モデルとなる花びらの形状に応じ、卵殻の部分を適宜選択することにより、多くの種類の花びらに近似した繊細さや柔軟さ等の立体感の花びら部を得ることができ、成型用の型を多数用意することなく、種々の花を模した装飾体を比較的自由に形成可能となる。また、補強剤を使って卵殻を補強することにより、移動を伴う装身具としても耐え得る強度を保有させることができる。
【発明を実施するための最良の形態】
【００１２】
以下、本発明の実施形態について図面を参照しながら説明する。
【００１３】
図１には、本発明の装飾体を備えた装飾品としてのペンダントの概略正面図が示され、図２には、前記ペンダントの要部拡大側面図が示されている。これらの図において、ペンダント１０は、閉ループ状のペンダントチェーン１１と、当該ペンダントチェーン１１の一部分に取り付けられた装飾体としてのペンダントトップ１３とを備えて構成されている。
【００１４】
前記ペンダントトップ１３は、ツクシイバラの花を模した形状に設けられており、花びらに相当する五枚の花びら部１５と、これら花びら部１５を支持するとともに、ペンダントチェーン１１が連結された円盤状の台板１６と、各花びら部１５の中央付近に取り付けられた真珠等からなる一個の球状部材１８とを備えている。
【００１５】
前記各花びら部１５は、中身が抜かれた鶏卵の卵殻の所定部分を切り抜いて形成され、当該卵殻の内面側が表向きとなるように、それぞれ台板上１６に放射状に並べられて接着されている。
【００１６】
前記ペンダント１０のペンダントヘッド１３は、次のようにして形成される。
【００１７】
先ず、所望の花びらの曲面形状が得られるような卵殻曲面を有する鶏卵を選択し用意する。次いで、当該鶏卵の底部付近に３ｍｍ程度の穴を開けて中身を抜き取り、卵殻のみの状態とし、前記穴から水を入れて卵殻内を洗浄する。その後、図３に示されるように、卵殻Ｅの複数箇所で、その表面側から所望の花びらの形状に沿ってカッター等で切り抜くことにより、複数枚の花びら部１５を得る。次に、各花びら部１５に対し、卵殻Ｅの内面側となっていた面に水を付けながら、当該面に付着している薄皮を剥離した後で、当該面に、エポキシ系の接着剤からなる強化剤を塗布し、花びら部１５を強化する。なお、この強化剤としては、卵殻を強化できる限りにおいて何でも良い。そして、花びら部１５の両面に所望の塗料を塗布し、塗料が乾燥した後に、卵殻Ｅの内面側となっていた面が花びら部１５の表向きになるように、台板１６の周縁部分に各花びら部１５を接着固定する。最後に、各花びら部１５の中央付近に球状部材１８を乗せて接着固定する。
【００１８】
従って、このような実施形態によれば、卵殻の柔らかい曲面を利用して、実際の花びらに相当する立体感のある花びら部１５を簡単に形成することができ、繊細な曲げ加工や鋳造等を行わずに、種々のデザインの花びら部１５を形成できるという効果を得る。
【００１９】
なお、本発明は、前記実施形態のペンダントトップ１３に限らず、その他の装飾体、つまり、ネックレス、イヤリング、ピアス、ブローチ、髪飾り、キーホルダー、ブレスレット、指輪、カフスボタン、ネクタイピン、ロケット、バッジ、その他のアクセサリーすなわち装身具に取り付けられる装飾体に適用可能である。また、本発明は、置物、種々の容器、写真立て、照明器具等、他の装飾品に取り付けられる装飾体としても適用可能である。
【００２０】
また、前記実施形態では、ツクシイバラを模したペンダントトップ１３としたが、同様にして、種々の花を模した装飾体を作成することができる。
【００２１】
更に、花びら部１５の原材料となる卵としては、鶏卵に限らず、前述と同様の効果を奏する限りにおいて、他の卵を利用することもできる。例えば、ウズラの卵、鶏卵、ダチョウの卵等、大きさの異なる鳥類の各種卵を使うことで、花びら部１５のサイズを適宜変えることが可能となる。
【００２２】
その他、本発明における構成は図示構成例に限定されるものではなく、実質的に同様の作用効果を奏する限りにおいて、種々の変更が可能である。
【図面の簡単な説明】
【００２３】
【図１】本発明の装飾体を備えたペンダントの概略正面図。
【図２】前記ペンダントの要部拡大側面図。
【図３】卵殻から花びら部を抜き取る状態を説明するための図。
【符号の説明】
【００２４】
１０  ペンダント（装飾品）
１１  ペンダントチェーン
１３  ペンダントトップ（装飾体）
１５  花びら部
１６  台板
１８  球状部材
Ｅ  卵殻
【図１】
2009035847.tif 000003
【図２】
2009035847.tif 000004
【図３】
2009035847.tif 000005